(57)【要約】【課題】大きさの異なる複数種類の綴じ機構部の何れの綴じ機構部が取り付けられた場合でもこの綴じ機構部に適した動作が行われる記録材処理装置等を提供する。【解決手段】（Ａ）位置、（Ｂ）位置などでステープルヘッド５１を停止させ、この停止位置にて綴じ処理を行うが、（Ａ）位置や（Ｂ）位置の脇には、対向片６４２が位置している。このような構成において、大型のステープルヘッド５１を用いる場合、その停止位置によっては、ステープルヘッド５１と対向片６４２とが干渉するおそれがある。このため、ステープルヘッド５１の停止位置を、小型のステープルヘッド５１と大型のステープルヘッド５１とで異ならせる。これにより、ステープルヘッド５１と対向片６４２との干渉が生じないようになる。【選択図】図４
2014024622.tif 000002
【特許請求の範囲】
【請求項１】
複数枚の記録材に対して綴じ処理を行う綴じ機構部であって大きさが互いに異なる複数種類の綴じ機構部を取り付け可能な被取り付け部と、
前記被取り付け部に取り付けられた前記綴じ機構部を予め定められた移動条件に従って移動させるとともに予め定められた停止条件に従って停止させ、当該綴じ機構部に綴じ処理を行わせる駆動手段と、
前記被取り付け部に取り付けられる前記綴じ機構部の種別を把握する把握手段と、
前記把握手段により把握された前記種別に基づき、前記移動条件および前記停止条件の少なくも一方を変更する変更手段と、
を備える記録材処理装置。
【請求項２】
前記駆動手段は、移動させた前記綴じ機構部を予め定められた停止位置にて停止させ、当該停止位置にて、当該綴じ機構部に綴じ処理を行わせ、
前記停止条件には、前記綴じ機構部が停止する前記停止位置が含まれ、
前記変更手段は、前記把握手段により把握された前記種別に基づき、前記綴じ機構部が停止する前記停止位置を変更することを特徴とする請求項１記載の記録材処理装置。
【請求項３】
前記駆動手段は、前記綴じ機構部を予め定められた移動範囲内にて移動させるとともに予め定められた停止位置にて当該綴じ機構部を停止させ、当該停止位置にて、当該綴じ機構部に綴じ処理を行わせ、
前記移動条件には、前記綴じ機構部が移動を行う移動範囲が含まれ、
前記変更手段は、前記把握手段により把握された前記種別に基づき、前記綴じ機構部が移動を行う前記移動範囲を変更することを特徴とする請求項１記載の記録材処理装置。
【請求項４】
前記駆動手段は、移動させた前記綴じ機構部を１又は複数の予め定められた停止位置にて停止させ、当該停止位置にて、当該綴じ機構部に綴じ処理を行わせ、
前記停止条件には、前記綴じ機構部が停止する前記停止位置の数が含まれ、
前記変更手段は、前記把握手段により把握された前記種別に基づき、前記綴じ機構部が停止する前記停止位置の数を変更することを特徴とする請求項１記載の記録材処理装置。
【請求項５】
前記被取り付け部は、第１の綴じ機構部と、当該第１の綴じ機構部よりも大きい第２の綴じ機構部とを少なくとも取り付けることができるように構成され、
前記第１の綴じ機構部が前記被取り付け部に取り付けられる場合には、当該第１の綴じ機構部と当該被取り付け部との間に介在部材が介在した状態で当該第１の綴じ機構部の取り付けが行われることを特徴とする請求項１記載の記録材処理装置。
【請求項６】
記録材に画像を形成する画像形成部と、
前記画像形成部により画像が形成された記録材が複数枚積載される記録材積載部と、
前記記録材積載部に積載された複数枚の記録材に対して綴じ処理を行う綴じ機構部であって大きさが互いに異なる複数種類の綴じ機構部を取り付け可能な被取り付け部と、
前記被取り付け部に取り付けられた前記綴じ機構部を予め定められた移動条件に従って移動させるとともに予め定められた停止条件に従って停止させ、当該綴じ機構部に綴じ処理を行わせる駆動手段と、
前記被取り付け部に取り付けられる前記綴じ機構部の種別を把握する把握手段と、
前記把握手段により把握された前記種別に基づき、前記移動条件および前記停止条件の少なくも一方を変更する変更手段と、
を備える画像形成システム。
【請求項７】
記録材に対して綴じ処理を行う綴じ機構部であって大きさが互いに異なる複数種類の綴じ機構部を取り付け可能な被取り付け部と、当該被取り付け部に取り付けられた当該綴じ機構部を予め定められた移動条件に従って移動させるとともに予め定められた停止条件に従って停止させ当該綴じ機構部に綴じ処理を行わせる駆動手段と、を備えた装置を制御するコンピュータ装置に、
前記被取り付け部に取り付けられる前記綴じ機構部の種別を把握する把握機能と、
前記把握機能により把握された前記種別に基づき、前記移動条件および前記停止条件の少なくも一方を変更する変更機能と、
を実現させるためのプログラム。
【発明の詳細な説明】
【技術分野】
【０００１】
本発明は、記録材処理装置、画像形成システム、および、プログラムに関する。
【背景技術】
【０００２】
ステープルトレイ上にスタックされるシートを突き当ててシートの整合を行うフェンスと、フェンスによって整合されたシートにステープル処理を行うステープル手段とを備えるとともに、シートの搬送方向に平行な端縁の曲がりを矯正する手段が設けられた用紙処理装置が知られている（例えば、特許文献１参照）。
【先行技術文献】
【特許文献】
【０００３】
【特許文献１】特開２００２−３２１８６８号公報
【発明の概要】
【発明が解決しようとする課題】
【０００４】
本発明の目的は、大きさの異なる複数種類の綴じ機構部の何れの綴じ機構部が取り付けられた場合でもこの綴じ機構部に適した動作が行われる記録材処理装置等を提供することにある。
【課題を解決するための手段】
【０００５】
請求項１に記載の発明は、複数枚の記録材に対して綴じ処理を行う綴じ機構部であって大きさが互いに異なる複数種類の綴じ機構部を取り付け可能な被取り付け部と、前記被取り付け部に取り付けられた前記綴じ機構部を予め定められた移動条件に従って移動させるとともに予め定められた停止条件に従って停止させ、当該綴じ機構部に綴じ処理を行わせる駆動手段と、前記被取り付け部に取り付けられる前記綴じ機構部の種別を把握する把握手段と、前記把握手段により把握された前記種別に基づき、前記移動条件および前記停止条件の少なくも一方を変更する変更手段と、を備える記録材処理装置である。
請求項２に記載の発明は、前記駆動手段は、移動させた前記綴じ機構部を予め定められた停止位置にて停止させ、当該停止位置にて、当該綴じ機構部に綴じ処理を行わせ、前記停止条件には、前記綴じ機構部が停止する前記停止位置が含まれ、前記変更手段は、前記把握手段により把握された前記種別に基づき、前記綴じ機構部が停止する前記停止位置を変更することを特徴とする請求項１記載の記録材処理装置である。
請求項３に記載の発明は、前記駆動手段は、前記綴じ機構部を予め定められた移動範囲内にて移動させるとともに予め定められた停止位置にて当該綴じ機構部を停止させ、当該停止位置にて、当該綴じ機構部に綴じ処理を行わせ、前記移動条件には、前記綴じ機構部が移動を行う移動範囲が含まれ、前記変更手段は、前記把握手段により把握された前記種別に基づき、前記綴じ機構部が移動を行う前記移動範囲を変更することを特徴とする請求項１記載の記録材処理装置である。
請求項４に記載の発明は、前記駆動手段は、移動させた前記綴じ機構部を１又は複数の予め定められた停止位置にて停止させ、当該停止位置にて、当該綴じ機構部に綴じ処理を行わせ、前記停止条件には、前記綴じ機構部が停止する前記停止位置の数が含まれ、前記変更手段は、前記把握手段により把握された前記種別に基づき、前記綴じ機構部が停止する前記停止位置の数を変更することを特徴とする請求項１記載の記録材処理装置である。
請求項５に記載の発明は、前記被取り付け部は、第１の綴じ機構部と、当該第１の綴じ機構部よりも大きい第２の綴じ機構部とを少なくとも取り付けることができるように構成され、前記第１の綴じ機構部が前記被取り付け部に取り付けられる場合には、当該第１の綴じ機構部と当該被取り付け部との間に介在部材が介在した状態で当該第１の綴じ機構部の取り付けが行われることを特徴とする請求項１記載の記録材処理装置である。
請求項６に記載の発明は、記録材に画像を形成する画像形成部と、前記画像形成部により画像が形成された記録材が複数枚積載される記録材積載部と、前記記録材積載部に積載された複数枚の記録材に対して綴じ処理を行う綴じ機構部であって大きさが互いに異なる複数種類の綴じ機構部を取り付け可能な被取り付け部と、前記被取り付け部に取り付けられた前記綴じ機構部を予め定められた移動条件に従って移動させるとともに予め定められた停止条件に従って停止させ、当該綴じ機構部に綴じ処理を行わせる駆動手段と、前記被取り付け部に取り付けられる前記綴じ機構部の種別を把握する把握手段と、前記把握手段により把握された前記種別に基づき、前記移動条件および前記停止条件の少なくも一方を変更する変更手段と、を備える画像形成システムである。
請求項７に記載の発明は、記録材に対して綴じ処理を行う綴じ機構部であって大きさが互いに異なる複数種類の綴じ機構部を取り付け可能な被取り付け部と、当該被取り付け部に取り付けられた当該綴じ機構部を予め定められた移動条件に従って移動させるとともに予め定められた停止条件に従って停止させ当該綴じ機構部に綴じ処理を行わせる駆動手段と、を備えた装置を制御するコンピュータ装置に、前記被取り付け部に取り付けられる前記綴じ機構部の種別を把握する把握機能と、前記把握機能により把握された前記種別に基づき、前記移動条件および前記停止条件の少なくも一方を変更する変更機能と、を実現させるためのプログラムである。
【発明の効果】
【０００６】
請求項１の発明によれば、大きさの異なる複数種類の綴じ機構部の何れの綴じ機構部が取り付けられた場合でもこの綴じ機構部に適した動作が行われる記録材処理装置を提供することができるようになる。
請求項２の発明によれば、停止位置の変更が行われない場合に比べ、複数枚の記録材への綴じ処理がより確実に行われるようになる。
請求項３の発明によれば、記録材処理装置の本体側と綴じ機構部との干渉を避けることが可能になる。
請求項４の発明によれば、綴じ処理を行えない箇所に綴じ機構部が停止しようとすることを防ぐことができるようになる。
請求項５の発明によれば、第１の綴じ機構部と第２の綴じ機構部の大きさの違いに起因する不具合の発生を抑制することが可能となる。
請求項６の発明によれば、大きさの異なる複数種類の綴じ機構部の何れの綴じ機構部が取り付けられた場合でもこの綴じ機構部に適した動作が行われる画像形成システムを提供することができるようになる。
請求項７の発明によれば、大きさの異なる複数種類の綴じ機構部の何れの綴じ機構部が取り付けられた場合でもこの綴じ機構部に適した動作が行われるようになるプログラムを提供することができるようになる。
【図面の簡単な説明】
【０００７】
【図１】本実施の形態が適用される画像形成システムの構成を示した図である。
【図２】本実施の形態の後処理装置の構成を示した図である。
【図３】フィニッシャユニットの内部の構造を模式的に示した図である。
【図４】ステープルヘッドが用紙束の端部にステープル綴じを実行する際のステープルヘッドの動作を示した図である。
【図５】ヘッド移動機構を説明する図である。
【図６】フィニッシャユニットの内部の構造を詳細に示した図である。
【発明を実施するための形態】
【０００８】
以下、添付図面を参照して、本発明の実施の形態について詳細に説明する。
図１は、本実施の形態が適用される画像形成システムの構成を示した図である。図１に示す画像形成システムは、記録材の一例としての用紙に対してカラー画像を形成するプリンタや複写機等の画像形成装置１と、画像形成装置１にて画像形成された後の用紙に対して綴じ等の後処理を行う後処理装置２とで構成される。
【０００９】
画像形成装置１には、各色画像データに基づいて画像形成を行う画像形成部として機能する４つの画像形成ユニット１００Ｙ,１００Ｍ,１００Ｃ,１００Ｋ（「画像形成ユニット１００」とも総称する）が設けられている。また、画像形成装置１には、各画像形成ユニット１００に設けられた感光体ドラム１０７を露光するレーザ露光装置１０１が設けられている。さらに、画像形成装置１には、各画像形成ユニット１００にて形成された各色のトナー像が多重転写される中間転写ベルト１０２が設けられている。
【００１０】
また、画像形成装置１には、各画像形成ユニット１００にて形成された各色トナー像を中間転写ベルト１０２に順次転写（一次転写）する一次転写ロール１０３、中間転写ベルト１０２上に転写された各色トナー像を用紙に一括転写（二次転写）する二次転写ロール１０４、二次転写された各色トナー像を用紙上に定着する定着装置１０５が設けられている。また、画像形成装置１には、プログラム制御されたＣＰＵにより構成され、画像形成装置１の動作を制御する本体制御部１０６が設けられている。
【００１１】
画像形成装置１の各画像形成ユニット１００では、感光体ドラム１０７への帯電工程、レーザ露光装置１０１からの走査露光による感光体ドラム１０７での静電潜像形成工程、形成された静電潜像への各色トナーの現像工程等を経て、各色のトナー像が形成される。各画像形成ユニット１００に形成された各色トナー像は、一次転写ロール１０３により中間転写ベルト１０２上に順次静電転写される。そして、各色トナー像は、中間転写ベルト１０２の移動に伴って二次転写ロール１０４が配設された位置に向けて搬送される。
【００１２】
一方、画像形成装置１には、異なるサイズや異なる紙種の複数の用紙Ｐ１〜Ｐ４（「用紙Ｐ」や「用紙束Ｐ」とも総称する）が、それぞれ用紙収容部１１０Ａ〜１１０Ｄに収容されている。そして、本体制御部１０６により例えば用紙Ｐ１が指定された場合には、ピックアップロール１１１により用紙収容部１１０Ａから用紙Ｐ１が取り出され、搬送ロール１１２によって１枚ずつレジストロール１１３の位置まで搬送される。なお、本体制御部１０６により用紙Ｐ２〜Ｐ４が指定された場合にも、それぞれ同様である。
【００１３】
そして、中間転写ベルト１０２上の各色トナー像が二次転写ロール１０４の配置位置に搬送されるタイミングに合わせて、レジストロール１１３から用紙Ｐが供給される。それにより、各色トナー像は、二次転写ロール１０４により形成された転写電界の作用によって用紙Ｐ上に一括して静電転写（二次転写）される。その後、各色トナー像が二次転写された用紙Ｐは、中間転写ベルト１０２から剥離されて定着装置１０５に搬送される。定着装置１０５では、熱および圧力による定着処理により各色トナー像が用紙Ｐ上に定着され、画像が形成される。そして、画像が形成された用紙Ｐは、搬送ロール１１４によって画像形成装置１の用紙排出部Ｔから排出され後処理装置２へ供給される。
【００１４】
記録材処理装置の一例としての後処理装置２は、画像形成装置１の用紙排出部Ｔの下流側に配置され、画像が形成された用紙Ｐに対して穴あけや綴じ等の後処理を行う。
図２は、本実施の形態の後処理装置２の構成を示した図である。図２に示すように、後処理装置２には、画像形成装置１の用紙排出部Ｔに接続されたトランスポートユニット２１、トランスポートユニット２１に取り込まれた用紙Ｐに対して予め定められた処理を施すフィニッシャユニット２２が設けられている。また、後処理装置２には、プログラム制御されたＣＰＵにより構成され、後処理装置２の各機構部を制御する用紙処理制御部２３が設けられている。用紙処理制御部２３は、不図示の信号ラインで本体制御部１０６（図１参照）と接続され、相互に制御信号等の送受信を行う。
【００１５】
なお、本実施形態の後処理装置２では、用紙処理制御部２３がフィニッシャユニット２２の筐体内に設けられているが、用紙処理制御部２３は画像形成装置１の筐体内に設けてもよい。また、画像形成装置１の本体制御部１０６（図１参照）が用紙処理制御部２３の制御機能を備えた構成としてもよい。
【００１６】
後処理装置２のトランスポートユニット２１には、２穴や４穴等の穴あけ（パンチ）を施すパンチ機能部３０、画像形成装置１にて画像形成された後の用紙Ｐをフィニッシャユニット２２に向けて搬送する複数の搬送ロール２１１が設けられている。
一方、フィニッシャユニット２２には、用紙Ｐを必要枚数だけ集積させて用紙束Ｐを生成する用紙集積部６０、用紙集積部６０にて生成された用紙束Ｐの端部に対してステープル綴じ（端綴じ）を実行する綴じ処理部５０が設けられている。
【００１７】
また、フィニッシャユニット２２には、回転可能に設けられ用紙集積部６０にて生成された用紙束Ｐの搬送に用いられる搬送ロール６１が設けられている。さらに、回転軸６２ａを移動中心として揺動可能に設けられ、搬送ロール６１から退避した位置、および、搬送ロール６１に圧接する位置へ移動可能な可動ロール６２が設けられている。また、搬送ロール６１および可動ロール６２により搬送されてきた用紙束Ｐが積載されるスタッカー８０が設けられている。なお、スタッカー８０は、保持する用紙束Ｐの量に応じて上下移動する。
【００１８】
図３は、フィニッシャユニット２２の内部の構造を模式的に示した図である。
後処理装置２による処理が行われる際には、まず、後処理装置２のトランスポートユニット２１（図２参照）に、画像形成装置１から用紙Ｐが搬入される。トランスポートユニット２１では、パンチ機能部３０による穴あけが行われた後、搬送ロール２１１によって用紙Ｐがフィニッシャユニット２２に送られる。なお、穴あけの指示が無い場合には、用紙Ｐは、パンチ機能部３０による穴あけ処理は行われずに、そのままの状態でフィニッシャユニット２２に送られる。
【００１９】
フィニッシャユニット２２に送られた用紙Ｐは、図３に示すように、用紙集積部６０まで搬送される。より詳細には、用紙Ｐは、用紙集積部６０の上方まで搬送された後に用紙集積部６０に落下する。そして、この用紙Ｐは、用紙集積部６０に設けられた支持板６７によって下方から支持されるとともに、支持板６７に付与された傾斜によって、支持板６７の上をスライド移動する。
【００２０】
その後、この用紙Ｐは、支持板６７の端部に取り付けられたエンドガイド６４に突き当たるようになる。付言すると、本実施形態では、支持板６７の端部に対し、図中上方に向かって延びるエンドガイド６４が設けられており、支持板６７上を移動した用紙Ｐは、このエンドガイド６４に突き当たる。これにより、本実施形態では、用紙Ｐの移動が停止される。以後、用紙Ｐが上流側から搬送されてくる度にこの動作が行われ、用紙集積部６０上には、用紙Ｐの後端部が揃えられた状態の用紙束Ｐが生成される。
【００２１】
なお、本実施形態では、支持板６７上の用紙Ｐをエンドガイド６４に向けて移動させる回転パドル６３も設けられており、支持板６７に付与された傾斜およびこの回転パドル６３によって、用紙Ｐはエンドガイド６４まで移動する。また、上記では説明を省略したが、本実施形態では、図３に示すように、用紙束Ｐの幅方向における位置を揃える用紙幅位置揃え部材６５が設けられている。本実施形態では、支持板６７上に用紙Ｐが供給される度に、用紙Ｐの幅方向における端部（側部）が用紙幅位置揃え部材６５により押圧され、用紙Ｐ（用紙束Ｐ）の幅方向における位置も揃えられる。
【００２２】
そして、本実施形態では、予め定められた枚数の用紙Ｐが支持板６７上に積載され、支持板６７上に用紙束Ｐが生成されると、綴じ処理部５０に設けられたステープルヘッド５１よって、用紙束Ｐの端部に対するステープル綴じが実行される。なお、ステープルヘッド５１は、駆動モータＭ１を有しており、この駆動モータＭ１を駆動することで金属製のステープル（Ｕ字状針）を用紙束Ｐに打ち込む。その後、本実施形態では、可動ロール６２が搬送ロール６１に向かって進出し、可動ロール６２および搬送ロール６１により用紙束Ｐが挟まれるようになる。その後、可動ロール６２が回転駆動を行い、用紙束Ｐがスタッカー８０へ搬送される。
【００２３】
図４は、ステープルヘッド５１が用紙束Ｐの端部にステープル綴じ（端綴じ）を実行する際のステープルヘッド５１の動作を示した図である。付言すると、図４は、用紙集積部６０を上方から見た際におけるステープルヘッド５１の動作を図示している。
【００２４】
上記では説明を省略したが、本実施形態では、図４に示すように、エンドガイド６４が複数設けられている。そして、各々のエンドガイド６４は、用紙Ｐの幅方向（用紙Ｐの搬送方向と直交する方向）において、互いに異なる箇所に配置されている。また、上記では説明を省略したが、本実施形態では、用紙Ｐの搬送方向と直交する方向に沿って、ステープルヘッド５１が移動するようになっている。
【００２５】
また、本実施形態では、駆動手段として機能する用紙処理制御部２３が、予め定められた移動条件に従ってステープルヘッド５１を移動させるとともに、予め定められた停止条件に従ってステープルヘッド５１を停止させる。その後、用紙処理制御部２３は、駆動モータＭ１を駆動し、ステープルヘッド５１に綴じ処理を行わせる。これにより、用紙束Ｐの予め定められた箇所に対して綴じ処理が行われるようになる。
【００２６】
より具体的に説明すると、本実施形態のステープルヘッド５１は、図４に示すように、例えば、用紙束Ｐの幅方向において互いに異なる箇所に位置する２点（図４の（Ａ）位置と（Ｂ）位置）にて停止するとともに、この２点において綴じ処理（２点端綴じ処理）を行う。また、ステープルヘッド５１は、例えば、用紙束Ｐの一方の端（用紙束Ｐの角部）（図４の（Ｃ）位置）にて停止するとともに、この停止位置で綴じ処理（１点端綴じ）を行う。なお、（Ａ）位置と（Ｂ）位置との間では、ステープルヘッド５１は直線的な移動を行うが、（Ａ）位置と（Ｃ）位置との間では、ステープルヘッド５１は、例えば４５°の回転を伴いながら移動を行う。
【００２７】
なお、エンドガイド６４は、図３に示すように、支持板６７に対して直交する関係で配置され用紙Ｐの端部が突き当たりこの用紙Ｐの移動を規制する規制部６４１と、この規制部６４１に接続されるとともに支持板６７に対向するように配置された対向片６４２とにより構成されている。ここで、規制部６４１は、図４に示すように、用紙Ｐの幅方向に沿って延びるように形成されている。また、対向片６４２は、図４に示すように、その一端が規制部６４１に接続されこの一端から用紙束Ｐ側に延びるように設けられている。
【００２８】
なお、上記では説明を省略したが、ステープルヘッド５１によって、図４の（Ａ）位置に対し綴じ処理が行われるときには、図４にて図中中央に位置する対向片６４２と図中右端に位置する対向片６４２との間に形成された間隙を通じて綴じ処理が行われる。また、ステープルヘッド５１によって、図４の（Ｂ）位置に対し綴じ処理が行われるときには、図４にて図中左端に位置する対向片６４２と図中中央に位置する対向片６４２との間に形成された間隙を通じて綴じ処理が行われる。
【００２９】
さらに、本実施形態では、図４に示すように、支持板６７の下方に、ステープルヘッド５１を移動させるヘッド移動機構７００が設けられている。ここで、このヘッド移動機構７００には、図５（ヘッド移動機構７００を説明する図）に示すように、用紙Ｐの幅方向に沿って配置され、この幅方向にステープルヘッド５１が移動するようにこのステープルヘッド５１の案内を行うガイドレール７１０が設けられている。また、このガイドレール７１０により案内されながら移動する移動体７２０が設けられている。
【００３０】
ここで、ガイドレール７１０には、幅方向における中央部に、用紙Ｐの幅方向に沿うように配置された溝７１１が形成されている。また、ガイドレール７１０のうちのこの溝７１１に面する２つの側面７１２のうちの一方の側面７１２には、ラックギア（不図示）が形成されている。
【００３１】
一方で、移動体７２０には、上記溝７１１内に配置され上記ラックギアに噛み合うピニオンギア７２１、ガイドレール７１０よりも下方に配置されこのピニオンギア７２１を回転させるギアモータＧＭ、同じくガイドレール７１０よりも下方に配置されこのギアモータＧＭを収容するとともにピニオンギア７２１を支持する筐体７２２が設けられている。また、ガイドレール７１０の外側の側面に接触するように設けられ、移動体７２０がガイドレール７１０に沿って移動するようにこの移動体７２０を案内する案内部材７２３が設けられている。
【００３２】
ここで、本実施形態では、移動体７２０に対してステープルヘッド５１が取り付けられる。そして、本実施形態では、移動体７２０にステープルヘッド５１が取り付けられた状態にてギアモータＧＭが駆動され、ピニオンギア７２１が回転駆動する。これにより、用紙Ｐの幅方向に沿って移動体７２０が移動し、この移動体７２０の移動に付随して、ステープルヘッド５１が移動する。
【００３３】
ところで、ステープルヘッド５１によって処理可能な用紙の枚数には、５０枚など上限があり、この上限を超える枚数の用紙の綴じ処理を行うことは難しい。このような場合において、１００枚などより多くの枚数の綴じ処理を行いたい場合には、通常、より多くの枚数を処理可能な後処理装置２を購入する必要が生じる。しかしながら、この場合、ユーザにとっては２台分の購入費用がかかることとなりユーザへの負担が大きいものとなる。
【００３４】
一方、上記では説明を省略したが、本実施形態では、綴じ機構部として機能するステープルヘッド５１の部分を交換できるようになっており、このステープルヘッド５１をより大型のものに換えることで、１００枚などより多くの枚数の用紙を処理できるようになっている。これにより、本実施形態では、新たな後処理装置２を購入しないでも、厚みの大きい用紙束に対する綴じ処理ができるようになる。さらに説明すると、本実施形態では、後処理装置２の処理能力をより安価に高められるようになる。
【００３５】
図６は、フィニッシャユニット２２の内部の構造を詳細に示した図である。付言すると、図６は、図３にて示した構成のうちのステープルヘッド５１、エンドガイド６４が設けられている部分の構造をより具体的に示した図である。
【００３６】
本実施形態においては、図６の破線Ａで取り囲んでいる部分を取り外すことができるようになっている。具体的には、ステープルヘッド５１、および、このステープルヘッド５１の下に設けられたスペーサー５５を取り外すことができるようなっている。そして、本実施形態では、このステープルヘッド５１およびスペーサー５５に換えて、より多くの枚数の用紙Ｐの綴じ処理を行うことが可能な大型のステープルヘッド５１を取り付けることができるようになっている。
【００３７】
なお、上記大型のステープルヘッド５１と、この大型のステープルヘッド５１が取り付けられる前に取り付けられていた小型のステープルヘッド５１とでは、高さ方向における寸法（矢印６Ａ方向における寸法）、幅方向における寸法（図６において紙面と直交する方向における寸法）、および、奥行き方向における寸法（図６において左右方向における寸法、矢印６Ｃ方向における寸法）が何れも異なっており、大型のステープルヘッド５１の各寸法の方が、小型のステープルヘッド５１の各寸法よりも大きくなっている。
【００３８】
ここで、小型のステープルヘッド５１および大型のステープルヘッド５１は、いずれも、図６に示すように（図６では小型のステープルヘッド５１を図示）、用紙束Ｐが入り込む開口部５１１を有しており、用紙束のうちのこの開口部５１１に入り込んだ部分に対してステープルを打ち込み、綴じ処理を実行する。
【００３９】
なお、本実施形態では、大型のステープルヘッド５１が取り付けられている場合における開口部５１１の位置（高さ方向における位置）と、エンドガイド６４の位置（高さ方向における位置）とが揃うように、各部の設計がなされている。このため、大型のステープルヘッド５１に換えて小型のステープルヘッド５１を取り付けた場合には、開口部５１１がエンドガイド６４よりも下方に位置してしまう。このため、本実施形態では、上記のように介在部材として機能するスペーサー５５を設け、小型のステープルヘッド５１を上方に変位させるようにしている。なお、ステープルヘッド５１の交換に際しては、図５に示したガイドレール７１０や移動体７２０は交換されず、ステープルヘッド５１の部分のみが交換される。
【００４０】
なお、ステープルヘッド５１の各々には、ＥＥＰＲＯＭ（Electrically Erasable and Programmable ROM）などにより構成される記憶媒体（不図示）が取り付けられており、被取り付け部の一例としての移動体７２０に対してステープルヘッド５１が取り付けられると、不図示コネクタを介して、この記憶媒体から情報が読み出される。これにより、本実施形態では、ステープルヘッド５１の種別が、把握手段として機能する用紙処理制御部２３により把握されるようになる。
【００４１】
ここで、本実施形態では、小型のステープルヘッド５１と大型のステープルヘッド５１とでステープルヘッド５１の動作条件（移動条件、停止条件）が変更される。なお、この動作条件の変更は、変更手段としても機能する用紙処理制御部２３により行われる。
例えば、用紙処理制御部２３は、ステープルヘッド５１の停止位置を、小型のステープルヘッド５１と大型のステープルヘッド５１とで異ならせる処理を行う。図４にて説明したとおり、本実施形態では、図４の（Ａ）位置、（Ｂ）位置などでステープルヘッド５１を停止させ、この停止位置にて綴じ処理を行うが、（Ａ）位置や（Ｂ）位置の脇には、対向片６４２が位置している。
【００４２】
そして、このような構成において、大型のステープルヘッド５１を用いる場合、その停止位置によっては、ステープルヘッド５１と対向片６４２とが干渉するおそれがある。このため、本実施形態では、ステープルヘッド５１の停止位置を、小型のステープルヘッド５１と大型のステープルヘッド５１とで異ならせる処理を行う。これにより、ステープルヘッド５１と対向片６４２との干渉が生じないようになる。
【００４３】
また、用紙処理制御部２３は、例えば、ステープルヘッド５１が停止する停止位置の数を、小型のステープルヘッド５１と大型のステープルヘッド５１とで異ならせる処理を行う。より具体的には、大型のステープルヘッド５１の停止位置の数を、小型のステープルヘッド５１の停止位置の数よりも減らす処理を行う。また、用紙処理制御部２３は、ステープルヘッド５１の移動範囲を、小型のステープルヘッド５１と大型のステープルヘッド５１とで異ならせる処理を行う。より具体的には、大型のステープルヘッド５１の移動範囲を小型のステープルヘッド５１の移動範囲よりも狭める処理を行う。
【００４４】
例えば、図４に示した例では、（Ａ）位置、（Ｂ）位置、（Ｃ）位置の３箇所にて、ステープルヘッド５１を停止させることができるが、例えばステープルヘッド５１が大型のステープルヘッド５１に換えられた場合には、ステープルヘッド５１が（Ｃ）位置まで移動しようとした際に、ステープルヘッド５１と装置の本体側とが干渉することが起こりうる。
【００４５】
このため、本実施形態では、小型のステープルヘッド５１から大型のステープルヘッド５１に換えられた場合には、ステープルヘッド５１の移動範囲を狭めるとともにステープルヘッド５１の停止位置の数を減らす処理を行う。
図４にて示した例を用いて具体的に説明すると、小型のステープルヘッド５１から大型のステープルヘッド５１に換えられた場合、用紙処理制御部２３は、ステープルヘッド５１が（Ｃ）位置まで移動しないようにステープルヘッド５１の移動範囲を狭め、（Ｃ）位置における停止を取り止める。そして、（Ａ）位置、（Ｂ）位置の２箇所のみをステープルヘッド５１の停止位置とする。これにより、ステープルヘッド５１と装置の本体側とが干渉が避けられるようになる。
【００４６】
また、ギアモータＧＭ（図５参照)の回転数を、小型のステープルヘッド５１と大型のステープルヘッド５１とで異ならせてもよい。より具体的には、大型のステープルヘッド５１が取り付けられたときには、小型のステープルヘッド５１が取り付けられているときよりもギアモータＧＭの回転数を上昇させる。
【００４７】
ここで、大型のステープルヘッド５１は小型のステープルヘッド５１よりも重くなっており、大型のステープルヘッド５１が取り付けられたときには、小型のステープルヘッド５１が取り付けられているときよりもステープルヘッド５１の移動速度が低下する。そして、この場合、単位時間当たりに綴じ処理が可能な用紙束Ｐの部数が減ってしまう。
一方で、上記のように、大型のステープルヘッド５１が取り付けられたときにギアモータＧＭの回転数を上昇させると、ステープルヘッド５１の移動速度の低下が抑制されるようになる。そして、この場合、単位時間当たりに綴じ処理できる用紙束Ｐの部数が減ることが抑制されるようになる。
【符号の説明】
【００４８】
２…後処理装置、２３…用紙処理制御部、５１…ステープルヘッド、５５…スペーサー、１００Ｙ,１００Ｍ,１００Ｃ,１００Ｋ…画像形成ユニット、７２０…移動体
【図１】
2014024622.tif 000003
【図２】
2014024622.tif 000004
【図３】
2014024622.tif 000005
【図４】
2014024622.tif 000006
【図５】
2014024622.tif 000007
【図６】
2014024622.tif 000008